(57)【要約】【課題】複数の電池及び複数の電池を束ねた組電池のどちらでも選択して使用可能な電池収納装置及び該電池収納装置を備えた電子機器を提供する。【解決手段】電池収納ケース３内に電池が収納されていない時、仕切り板４は電池収納ケース３のスリットからねじりコイルバネ５により付勢された状態で電池収納ケース３内に挿入され、電池収納ケース３内を仕切るとともに、検出スイッチ１０を押圧しオン状態とする。組電池１２が電池収納ケース３内に挿入されると、仕切り板４はねじりコイルバネ５による付勢に抗して軸４ａを中心に回転し、電池収納ケース３外へ退避させられ、検出スイッチ１０がオン状態とされる。複数の電池が挿入されると、仕切り板４は退避することなく電池間を遮蔽する。【選択図】        図２
2004220886.tif 000002
【特許請求の範囲】
【請求項１】
電池収納室に複数の電池または該複数の電池と互換性のある組電池を収納する電池収納装置において、前記電池収納室は仕切り板を有し、前記複数の電池を収納する場合は、夫々の電池間に仕切り板が介在し、前記複数の電池を束ねた組電池を収納する場合は、前記仕切り板が前記電池収納室から退避することを特徴とする電池収納装置。
【請求項２】
請求項１記載の電池収納装置において、前記仕切り板は前記組電池と当接する斜辺を有し、該斜辺が電池収納室内で前記組電池と対向する位置に付勢状態で支持されることを特徴とする電池収納装置。
【請求項３】
請求項１または２記載の電池収納装置において、前記仕切り板により動作される電池判別装置を有することを特徴とする電池収納装置。
【請求項４】
請求項１乃至３のいずれかに記載の電池収納装置を備えたことを特徴とする電子機器。
【発明の詳細な説明】
【０００１】
【発明の属する技術分野】
本発明は、電池収納装置及び該電池収納装置を備えた電子機器に関し、さらに詳しくは、略同一外形寸法を有する異なる種類の電池を収納することが可能な電池収納装置及び該電池収納装置を備えた電子機器に関する。
【０００２】
【従来の技術】
従来、例えば単三形アルカリ乾電池２本と互換性のある組電池としてリチウム電池「ＣＲ−Ｖ３」が市販されている。この組電池と単三電池２本のどちらでも収納可能な構造を有する電池収納装置として、電池収納室の構造を組電池が収納できるような内部形状としたものが、例えば特許文献１において知られている。また、電池収納室に仕切り板を有する構造の電池収納ケースも特許文献２において知られている。
【０００３】
【特許文献１】
特開２００１−２３６９３６号公報
【特許文献２】
登録実用新案第３０８８２７６号公報
【０００４】
【発明が解決しようとする課題】
しかしながら、特許文献１に記載されたように電池収納室を組電池に合わせた電池収納室とすると、単三電池２本を収納した時、電池間に仕切り板がないので、電池収納室を備えた電子機器が振動した際、単三電池が相互に固定されず振動による接触不良を起こしたり、或いは電源ノイズを発生させたり、或いはショートを起こしたりする問題があった。ショートしていることを知らずに使い続けると電池の液漏れ、発熱、発火等の危険な状態になる可能性があった。また、電池間の仕切り板を特許文献２に記載されたような構成とすると、仕切り板があることにより組電池が収納できないという問題がある。
そこで、本発明は、複数の電池及び複数の電池を束ねた組電池のどちらでも使用可能な電池収納装置及び該電池収納装置を備えた電子機器を提供し、前記問題点を解決することを目的とする。
【０００５】
【課題を解決するための手段】
上記課題を解決するため、第１の技術手段は、電池収納室に複数の電池または該複数の電池と互換性のある組電池を収納する電池収納装置において、前記電池収納室は仕切り板を有し、前記複数の電池を収納する場合は、夫々の電池間に仕切り板が介在し、前記複数の電池を束ねた組電池を収納する場合は、前記仕切り板が前記電池収納室から退避することを特徴とし、複数の電池及び複数の電池を束ねた組電池のどちらでも使用可能な電池収納装置を提供することができる。
【０００６】
第２の技術手段は、第１の技術手段の電池収納装置において、前記仕切り板は前記組電池と当接する斜辺を有し、該斜辺が電池収納室内で前記組電池と対向する位置に付勢状態で支持されることを特徴とし、組電池を電池収納室に挿入する動作によって仕切り板を電池収納室外へ退避させることができる。
【０００７】
第３の技術手段は、第１乃至第２の技術手段の電池収納装置において、前記仕切り板により動作される電池判別装置を有することを特徴とし、前記仕切り板の動作により電池判別装置が動作し、前記複数の電池が収納されたか、或いは前記組電池が収納されたかを判別することができる。
【０００８】
第４の技術手段は、第１乃至第３の技術手段の電池収納装置を備えた電子機器であることを特徴とし、複数の電池及び複数の電池を束ねた組電池のどちらでも使用可能な電子機器を提供することができる。
【０００９】
【発明の実施の形態】
以下、本発明の実施の形態を図１〜図５に示す実施例に基づいて説明する。
図１は、本発明の実施例の電池収納装置を電子機器筐体とともに示す分解斜視図である。
本実施例の電子機器は第１の筐体１、第２の筐体２を有し、また本実施例の電池収納装置は第１の筐体１、第２の筐体２によって形成される内部空間に設置され、複数（２個）の単電池、または複数の単電池を組み合わせ１パックとした組電池を選択して収納することができる。電池収納装置は、電池収納ケース３、仕切り板４、ねじりコイルバネ５、仕切り板固定板６、電池端子７、電池端子板８、スイッチ固定板９、検出スイッチ１０、電池蓋１１等から構成されている。なお、以下の説明では、単電池として単３サイズアルカリ電池、組電池として単３サイズ電池２本と互換性のあるリチウム電池ＣＲ−Ｖ３を収納する電池収納装置の例について説明するが、これらの電池に限られるものではない。
【００１０】
第１の筐体１は、電池を出入する開口１ｂが形成された凹陥部１ａを有し、内部に電池収納ケース３を取り付ける取り付け枠１ｃが設けられている。取り付け枠１ｃには、補強用リブ、電池収納ケース３及びスイッチ固定板９を固定するビス固定部を有し、開口１ｂから電池を挿入すると取り付け枠１ｃ上に電池が載置されるように形成されている。
【００１１】
電池収納ケース３は、例えば単３サイズアルカリ電池２本、あるいは組電池ＣＲ−Ｖ３リチウム電池が収納される空間を有し、取り付け枠１ｃの上面に対向する面及び開口１ｂに面する側面が開放した箱状で、その頂板には後述の仕切り板４が挿通されるスリット３ｃが形成されており、４本のビスによって第１の筐体１の取り付け枠１ｃに固定されている。
また、電池収納ケース３の頂板には２つの端子孔３ｄが形成され、内部に収納された電池の正電極及び負電極と接続される電池端子７，７が挿入され、それぞれビスで電池収納ケース３の底板に固定されている。
【００１２】
仕切り板４は、略平行四辺形状であって、その鋭角をなす頂点に設けられた軸４ａが電池収納ケース３の頂板に設けられた２つのＵ字状軸受け３ａ，３ａに挿入され、仕切り板固定板６を２本のビスで電池収納ケース３の頂板に固定することによって回動自在に取り付けられている。また、仕切り板４の軸４ａにねじりコイルバネ５を装着して、略平行四辺形状の部分がスリット３ｃから電池収納ケース３内に挿入されるように付勢され、仕切り板４に設けられたストッパ４ｂによって所定の停止位置に保持されている。
【００１３】
電池収納ケース３が取り付けられる取り付け枠１ｃの上面には、仕切り板４が電池収納ケース３内に挿入されたことを検知するための検出スイッチ１０を取り付けるためのスイッチ固定板９がビスによって取り付けられ、仕切り板４がスリット３ｃから電池収納ケース３内に挿入され所定の位置に達すると、略平行四辺形状の部分によって検出スイッチ１０をオン状態（またはオフ状態）とするように構成されている。
【００１４】
第１の筐体１の凹陥部１ａには、一辺が折曲した電池蓋１１が嵌合し、電池蓋１１の裏面には端子板取り付け片１１ａ，１１ａによって、電池端子板８が取り付けられている。電池端子板８は、互いに接続された接点８ａ，８ａを有し、電池収納ケース３に２本の単３サイズ電池が挿入された際、両電池の正極、負極相互を接続し、直列接続を形成する。
また、電池蓋１１の折曲辺には、第１の筐体１の蓋取り付け孔１ｄ（図２）と係合する蓋取り付け凸片１１ｂが設けられ、電池端子板８は裏面端部に軸かしめ部８ｂ，８ｂが設けられ、軸８ｃがかしめられている。したがって、電池端子板８が取り付けられた電池蓋１１を第１の筐体１の凹陥部１ａに沿って摺動させ、蓋取り付け凸片１１ｂを蓋取り付け孔１１ｄに係合させるとともに軸８ｃを、第１の筐体１の凹陥部１ａに設けられた軸受け片１ｄと係合させることによって、第１の筐体１の凹陥部１ａを電池蓋１１によって面一に閉蓋することができる。
【００１５】
図２は、電池収納装置に組電池を収納する直前の状態を示す断面図、図３は、電池収納装置に組電池を収納した状態を示す断面図である。
図２に示すように、電池収納ケース３内に電池が収納されていない時、仕切り板４は電池収納ケース３のスリット３ｃからねじりコイルバネ５により付勢された状態で電池収納ケース３内に挿入され、電池収納ケース３内を２つの部分に仕切るとともに、仕切り板４の先端部によって検出スイッチ１０を押圧し、オン状態（またはオフ状態）とする。仕切り板４が電池収納ケース３内に挿入された時の仕切り板４の開口１ｂ側の側辺は、電池の挿入方向に対し傾斜しており、これにより組電池１２が挿入されると、組電池１２の前端により仕切り板４はねじりコイルバネ５による付勢に抗して仕切り板の軸４ａを中心に回転し、電池収納ケース３外へ退避させられ、検出スイッチ１０をオフ状態（またはオン状態）にして図３に示すように組電池１２が収納される。
【００１６】
図４は、電池収納装置に複数の単３サイズ電池を収納した状態を示す断面図、図５は、図４のＸ−Ｘ断面図である。
電池収納ケース３に複数の単三サイズ電池（図では２本）を収納した時は、図４、図５に示すように、仕切り板４が２本の単三サイズ電池１３，１３の間に入り込み介在していることにより、２本の電池１３，１３が接触することを防ぐ。もし、単三サイズ電池の被覆が破れ、電池の金属部分が露出していたとしても、２本の電池が接触し、ショートすることを回避できる。また、何らかの原因で仕切り板４が破損し、２本の単三サイズ電池の間に存在しなくなった場合は、検出スイッチ１０がオン状態（またはオフ状態）とならない。このときは、電子機器の電源が入らないようにすれば、使用者に異常を知らせることができ危険な状態での使用を回避することができる。
【００１７】
【発明の効果】
前記説明から明らかなように、本発明の電池収納装置及び該電池収納装置を備えた電子機器によれば、複数の電池及び該複数の電池と互換性がある組電池が使用可能であり、複数の電池使用時は、電池間の仕切りとなる仕切り板を有するので、電池同士が衝突することを防止し、被覆が破れた電池を使用したとしても、隣接する電池間のショートを防ぐことができる。
また、組電池使用時は、仕切り板が組電池の挿入により電池収納ケース外へ退避して収納されるため、組電池であっても複数の電池を使用する時と同様にして使用することができる。
さらに、仕切り板により動作する電池判別装置を有するので、収納されている電池の種類を知ることができる。また、仕切り板が破損等しているときは、検出スイッチをオン状態（またはオフ状態）にしないため、この状態で電子機器の動作をしないようにすれば、複数の電池使用時、ショート等の危険な状態での使用を避けることができる。
【図面の簡単な説明】
【図１】本発明の実施例の電池収納装置を電子機器筐体とともに示す分解斜視図である。
【図２】電池収納装置に組電池を収納する直前の状態を示す断面図である。
【図３】電池収納装置に組電池を収納した状態を示す断面図である。
【図４】電池収納装置に複数の電池を収納した状態を示す断面図である。
【図５】図４のＸ−Ｘ断面図である。
【符号の説明】
１…第１の筐体、２…第２の筐体、３…電池収納ケース、４…仕切り板、５…ねじりコイルバネ、６…仕切り板固定板、７…電池端子、８…電池端子板、９…スイッチ固定板、１０…検出スイッチ、１１…電池蓋、１２…組電池、１３…単三電池。
【図１】
2004220886.tif 000003
【図２】
2004220886.tif 000004
【図３】
2004220886.tif 000005
【図４】
2004220886.tif 000006
【図５】
2004220886.tif 000007